(57)【要約】【課題】解像度が高く、比較的高いズーミング比を有しながら、レンズ系を構成するレンズ数が少なく、レンズ全長が短く高性能なズームレンズ系、撮像装置及びカメラを提供する。【解決手段】物体側から像側へと順に正パワーの第１レンズ群、負パワーの第２レンズ群、正パワーの第３レンズ群及び第４レンズ群を含む後続レンズ群からなり、第１〜後続レンズ群のいずれか１つが物体からの光線を折り曲げる反射面を有するレンズ素子を含み、撮像時の広角端から望遠端へのズーミングの際に第１レンズ群及び第３レンズ群が光軸に沿って移動せず、条件：１．４２＜ｎｄ4ave＜１．５８（ｎｄ4ave：第４レンズ群を構成するレンズ素子のｄ線に対する屈折率の平均値）を満足するズームレンズ系、撮像装置及びカメラ。【選択図】図１
2011085653.tif 000002
【特許請求の範囲】
【請求項１】
物体側から像側へと順に、正のパワーを有する第１レンズ群と、負のパワーを有する第２レンズ群と、正のパワーを有する第３レンズ群と、パワーを有する第４レンズ群を含む後続レンズ群とからなり、
前記第１レンズ群、第２レンズ群、第３レンズ群及び後続レンズ群のいずれか１つのレンズ群が、物体からの光線を折り曲げる反射面を有するレンズ素子を含み、
撮像時の広角端から望遠端へのズーミングの際に、前記第１レンズ群及び第３レンズ群が光軸に沿って移動せず、
以下の条件（１）を満足する、ズームレンズ系：
１．４２＜ｎｄ4ave＜１．５８  ・・・（１）
ここで、
ｎｄ4ave：第４レンズ群を構成するレンズ素子のｄ線に対する屈折率の平均値
である。
【請求項２】
第１レンズ群が、反射面を有するレンズ素子と、各々パワーを有する２枚のレンズ素子とからなる、請求項１に記載のズームレンズ系。
【請求項３】
反射面を有するレンズ素子がプリズムである、請求項１に記載のズームレンズ系。
【請求項４】
第２レンズ群が、各々パワーを有する３枚のレンズ素子からなる、請求項１に記載のズームレンズ系。
【請求項５】
以下の条件（３）及び（ａ）を満足する、請求項１に記載のズームレンズ系：
２．０＜ｆW／ｔG2＜７．０  ・・・（３）
ｆT／ｆW＞２．５  ・・・（ａ）
ここで、
ｔG2：第２レンズ群の厚み（最物体側レンズ素子の物体側面から最像側レンズ素子の像側面までの光軸上の距離）、
ｆT：望遠端での全系の焦点距離、
ｆW：広角端での全系の焦点距離
である。
【請求項６】
第３レンズ群が、パワーを有するレンズ素子１枚のみからなる、請求項１に記載のズームレンズ系。
【請求項７】
第４レンズ群が、物体側から像側へと順に、正のパワーを有する１枚のレンズ素子と負のパワーを有する１枚のレンズ素子とを含み、該正のパワーを有するレンズ素子と負のパワーを有するレンズ素子とが空気間隔を隔てて配置されてなる、請求項１に記載のズームレンズ系。
【請求項８】
第４レンズ群を構成する全レンズ素子のうち、少なくとも１枚が以下の条件（４）を満足する、請求項１に記載のズームレンズ系：
７０＜νｄ4  ・・・（４）
ここで、
νｄ4：第４レンズ群を構成するレンズ素子のｄ線に対するアッベ数
である。
【請求項９】
以下の条件（５）及び（ａ）を満足する、請求項１に記載のズームレンズ系：
−０．６５＜ｆG2／ｆG4＜−０．３５  ・・・（５）
ｆT／ｆW＞２．５  ・・・（ａ）
ここで、
ｆG2：第２レンズ群の合成焦点距離、
ｆG4：第４レンズ群の合成焦点距離、
ｆT：望遠端での全系の焦点距離、
ｆW：広角端での全系の焦点距離
である。
【請求項１０】
開口絞りが、第３レンズ群と第４レンズ群との間に配置された、請求項１に記載のズームレンズ系。
【請求項１１】
第４レンズ群の像側にパワーを有する第５レンズ群が配置され、該第５レンズ群全体、又は第５レンズ群を構成するいずれか１枚のレンズ素子、又は第５レンズ群を構成する複数の隣り合ったレンズ素子が、光軸に直交する方向に移動する、請求項１に記載のズームレンズ系。
【請求項１２】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、正のパワーを有する第１レンズ群と、負のパワーを有する第２レンズ群と、正のパワーを有する第３レンズ群と、パワーを有する第４レンズ群を含む後続レンズ群とからなり、
前記第１レンズ群、第２レンズ群、第３レンズ群及び後続レンズ群のいずれか１つのレンズ群が、物体からの光線を折り曲げる反射面を有するレンズ素子を含み、
撮像時の広角端から望遠端へのズーミングの際に、前記第１レンズ群及び第３レンズ群が光軸に沿って移動せず、
以下の条件（１）：
１．４２＜ｎｄ4ave＜１．５８  ・・・（１）
（ここで、
ｎｄ4ave：第４レンズ群を構成するレンズ素子のｄ線に対する屈折率の平均値
である）
を満足するズームレンズ系である、撮像装置。
【請求項１３】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、正のパワーを有する第１レンズ群と、負のパワーを有する第２レンズ群と、正のパワーを有する第３レンズ群と、パワーを有する第４レンズ群を含む後続レンズ群とからなり、
前記第１レンズ群、第２レンズ群、第３レンズ群及び後続レンズ群のいずれか１つのレンズ群が、物体からの光線を折り曲げる反射面を有するレンズ素子を含み、
撮像時の広角端から望遠端へのズーミングの際に、前記第１レンズ群及び第３レンズ群が光軸に沿って移動せず、
以下の条件（１）：
１．４２＜ｎｄ4ave＜１．５８  ・・・（１）
（ここで、
ｎｄ4ave：第４レンズ群を構成するレンズ素子のｄ線に対する屈折率の平均値
である）
を満足するズームレンズ系である、カメラ。
【請求項１４】
物体側から像側へと順に、正のパワーを有する第１レンズ群と、負のパワーを有する第２レンズ群と、正のパワーを有する第３レンズ群と、パワーを有する第４レンズ群を含む後続レンズ群とからなり、
前記第１レンズ群、第２レンズ群、第３レンズ群及び後続レンズ群のいずれか１つのレンズ群が、物体からの光線を折り曲げる反射面を有するレンズ素子を含み、
撮像時の広角端から望遠端へのズーミングの際に、前記第１レンズ群及び第３レンズ群が光軸に沿って移動せず、
第４レンズ群を構成する全レンズ素子のうち、少なくとも１枚が以下の条件（２−１）及び（２−２）を同時に満足する、ズームレンズ系：
１．４２＜ｎｄ4＜１．６６  ・・・（２−１）
１５＜νｄ4＜３６  ・・・（２−２）
ここで、
ｎｄ4：第４レンズ群を構成するレンズ素子のｄ線に対する屈折率、
νｄ4：第４レンズ群を構成するレンズ素子のｄ線に対するアッベ数
である。
【請求項１５】
第１レンズ群が、反射面を有するレンズ素子と、各々パワーを有する２枚のレンズ素子とからなる、請求項１４に記載のズームレンズ系。
【請求項１６】
反射面を有するレンズ素子がプリズムである、請求項１４に記載のズームレンズ系。
【請求項１７】
第２レンズ群が、各々パワーを有する３枚のレンズ素子からなる、請求項１４に記載のズームレンズ系。
【請求項１８】
以下の条件（３）及び（ａ）を満足する、請求項１４に記載のズームレンズ系：
２．０＜ｆW／ｔG2＜７．０  ・・・（３）
ｆT／ｆW＞２．５  ・・・（ａ）
ここで、
ｔG2：第２レンズ群の厚み（最物体側レンズ素子の物体側面から最像側レンズ素子の像側面までの光軸上の距離）、
ｆT：望遠端での全系の焦点距離、
ｆW：広角端での全系の焦点距離
である。
【請求項１９】
第３レンズ群が、パワーを有するレンズ素子１枚のみからなる、請求項１４に記載のズームレンズ系。
【請求項２０】
第４レンズ群が、物体側から像側へと順に、正のパワーを有する１枚のレンズ素子と負のパワーを有する１枚のレンズ素子とを含み、該正のパワーを有するレンズ素子と負のパワーを有するレンズ素子とが空気間隔を隔てて配置されてなる、請求項１４に記載のズームレンズ系。
【請求項２１】
第４レンズ群を構成する全レンズ素子のうち、条件（２−２）を満足しないレンズ素子の少なくとも１枚が以下の条件（４）を満足する、請求項１４に記載のズームレンズ系：
７０＜νｄ4  ・・・（４）
ここで、
νｄ4：第４レンズ群を構成するレンズ素子のｄ線に対するアッベ数
である。
【請求項２２】
以下の条件（５）及び（ａ）を満足する、請求項１４に記載のズームレンズ系：
−０．６５＜ｆG2／ｆG4＜−０．３５  ・・・（５）
ｆT／ｆW＞２．５  ・・・（ａ）
ここで、
ｆG2：第２レンズ群の合成焦点距離、
ｆG4：第４レンズ群の合成焦点距離、
ｆT：望遠端での全系の焦点距離、
ｆW：広角端での全系の焦点距離
である。
【請求項２３】
開口絞りが、第３レンズ群と第４レンズ群との間に配置された、請求項１４に記載のズームレンズ系。
【請求項２４】
第４レンズ群の像側にパワーを有する第５レンズ群が配置され、該第５レンズ群全体、又は第５レンズ群を構成するいずれか１枚のレンズ素子、又は第５レンズ群を構成する複数の隣り合ったレンズ素子が、光軸に直交する方向に移動する、請求項１４に記載のズームレンズ系。
【請求項２５】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、正のパワーを有する第１レンズ群と、負のパワーを有する第２レンズ群と、正のパワーを有する第３レンズ群と、パワーを有する第４レンズ群を含む後続レンズ群とからなり、
前記第１レンズ群、第２レンズ群、第３レンズ群及び後続レンズ群のいずれか１つのレンズ群が、物体からの光線を折り曲げる反射面を有するレンズ素子を含み、
撮像時の広角端から望遠端へのズーミングの際に、前記第１レンズ群及び第３レンズ群が光軸に沿って移動せず、
第４レンズ群を構成する全レンズ素子のうち、少なくとも１枚が以下の条件（２−１）及び（２−２）：
１．４２＜ｎｄ4＜１．６６  ・・・（２−１）
１５＜νｄ4＜３６  ・・・（２−２）
（ここで、
ｎｄ4：第４レンズ群を構成するレンズ素子のｄ線に対する屈折率、
νｄ4：第４レンズ群を構成するレンズ素子のｄ線に対するアッベ数
である）
を同時に満足するズームレンズ系である、撮像装置。
【請求項２６】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、正のパワーを有する第１レンズ群と、負のパワーを有する第２レンズ群と、正のパワーを有する第３レンズ群と、パワーを有する第４レンズ群を含む後
続レンズ群とからなり、
前記第１レンズ群、第２レンズ群、第３レンズ群及び後続レンズ群のいずれか１つのレンズ群が、物体からの光線を折り曲げる反射面を有するレンズ素子を含み、
撮像時の広角端から望遠端へのズーミングの際に、前記第１レンズ群及び第３レンズ群が光軸に沿って移動せず、
第４レンズ群を構成する全レンズ素子のうち、少なくとも１枚が以下の条件（２−１）及び（２−２）：
１．４２＜ｎｄ4＜１．６６  ・・・（２−１）
１５＜νｄ4＜３６  ・・・（２−２）
（ここで、
ｎｄ4：第４レンズ群を構成するレンズ素子のｄ線に対する屈折率、
νｄ4：第４レンズ群を構成するレンズ素子のｄ線に対するアッベ数
である）
を同時に満足するズームレンズ系である、カメラ。
【発明の詳細な説明】
【技術分野】
【０００１】
本発明は、ズームレンズ系、撮像装置及びカメラに関する。特に本発明は、解像度が高く、比較的高いズーミング比を有しながら、レンズ系を構成するレンズ数が少なく、レンズ全長（レンズ系の最物体側に位置するレンズ素子の物体側面から像面までの光軸上の距離）が短く高性能なズームレンズ系、該ズームレンズ系を含む撮像装置、及び該撮像装置を備えた薄型でコンパクトなカメラに関する。
【背景技術】
【０００２】
デジタルスチルカメラやデジタルビデオカメラ等の、光電変換を行う撮像素子を持つカメラ（以下、単にデジタルカメラという）に対するコンパクト化及び高性能化の要求は極めて強い。特に近年、収納性や可搬性を最優先した薄型のデジタルカメラが要求されてきている。このような薄型のデジタルカメラを実現するための手段の１つとして、物体からの光線を折り曲げるズームレンズ系が種々提案されている。
【０００３】
特許文献１は、物体側より順に、正の屈折力を有し、光路を略９０度折り曲げる反射部材を含む第１レンズ群と、負の屈折力を有する第２レンズ群と、正の屈折力を有し、最像面側に絞りを有する第３レンズ群と、正の屈折力を有する第４レンズ群とを備え、光軸に沿って変倍時に第２レンズ群が移動すると共に変倍時及び合焦時に第４レンズ群が移動し、第４レンズ群が負の屈折力を有する接合レンズ及び正メニスカスレンズからなり、第２レンズ群の焦点距離と望遠端における全系の焦点距離との比及び第４レンズ群の焦点距離と望遠端における全系の焦点距離との比を規定したズームレンズを開示している。
【０００４】
特許文献２は、物体側から順に、正のパワーを有する第１レンズ群と、負のパワーを有する第２レンズ群と、正のパワーを有する第３レンズ群と、正のパワーを有する第４レンズ群と、第５レンズ群とを備え、広角端から望遠端までの変倍において、第１レンズ群と第３レンズ群と第５レンズ群の位置が固定であると共に、第２レンズ群と第４レンズ群が移動し、第５レンズ群が物体側から順に負成分と正成分とで構成され、該負成分及び正成分間の軸上空気間隔と第５レンズ群全体の軸上厚みとの比を規定した変倍光学系を開示している。
【０００５】
特許文献３は、物体側より順に、変倍及び合焦の際に固定で正の屈折力の第１レンズ群と、変倍の際に移動する負の屈折力の第２レンズ群と、変倍及び合焦の際に固定で正の屈折力の第３レンズ群と、変倍の際に移動すると共に合焦機能を有する正の屈折力の第４レンズ群と、変倍の際に移動する負の屈折力の第５レンズ群とを備え、第１レンズ群の焦点距離と広角端における全系の焦点距離との比及び第２レンズ群の焦点距離と広角端における全系の焦点距離との比を規定した変倍光学系を開示している。
【０００６】
特許文献４は、複数のレンズ群を通過する光軸を折り曲げるための反射部材を含み、物体側から像面側へと順に、正の屈折力を有しその位置が固定された第１レンズ群と、負の屈折力を有し変倍時に光軸方向に移動する第２レンズ群と、正の屈折力を有しその位置が固定された第３レンズ群と、正の屈折力を有し変倍時に像面の位置変動を補正すると共に合焦のために光軸方向に移動する第４レンズ群と、負の屈折力を有し変倍時にその位置が固定された第５レンズ群とを備え、第１レンズ群の焦点距離と広角端における全系の焦点距離との比及び第３レンズ群の焦点距離と広角端における全系の焦点距離との比を規定したズームレンズを開示している。
【先行技術文献】
【特許文献】
【０００７】
【特許文献１】特開２００６−２６７８６２号公報
【特許文献２】特開２００６−３１７４８１号公報
【特許文献３】特開２００８−２６８８３３号公報
【特許文献４】特許第４２６４８４２号公報
【発明の概要】
【発明が解決しようとする課題】
【０００８】
しかしながら、前記特許文献１〜４に開示のズームレンズや変倍光学系はいずれも、レンズ系を構成するレンズ数が少なくてレンズ全長が比較的短いものの、ズーミング比が３倍未満と低かったり、逆に比較的高いズーミング比を有するものの、レンズ系を構成するレンズ数が多くてレンズ全長の短縮化が不充分であり、近年のデジタルカメラに対する要求を満足し得るものではない。
【０００９】
本発明の目的は、解像度が高く、比較的高いズーミング比を有しながら、レンズ系を構成するレンズ数が少なく、レンズ全長が短く高性能なズームレンズ系、該ズームレンズ系を含む撮像装置、及び該撮像装置を備えた薄型でコンパクトなカメラを提供することである。
【課題を解決するための手段】
【００１０】
（Ｉ）上記目的の１つは、以下のズームレンズ系により達成される。すなわち本発明は、
物体側から像側へと順に、正のパワーを有する第１レンズ群と、負のパワーを有する第２レンズ群と、正のパワーを有する第３レンズ群と、パワーを有する第４レンズ群を含む後続レンズ群とからなり、
前記第１レンズ群、第２レンズ群、第３レンズ群及び後続レンズ群のいずれか１つのレンズ群が、物体からの光線を折り曲げる反射面を有するレンズ素子を含み、
撮像時の広角端から望遠端へのズーミングの際に、前記第１レンズ群及び第３レンズ群が光軸に沿って移動せず、
以下の条件（１）：
１．４２＜ｎｄ4ave＜１．５８  ・・・（１）
（ここで、
ｎｄ4ave：第４レンズ群を構成するレンズ素子のｄ線に対する屈折率の平均値
である）
を満足する、ズームレンズ系
に関する。
【００１１】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、正のパワーを有する第１レンズ群と、負のパワーを有する第２レンズ群と、正のパワーを有する第３レンズ群と、パワーを有する第４レンズ群を含む後続レンズ群とからなり、
前記第１レンズ群、第２レンズ群、第３レンズ群及び後続レンズ群のいずれか１つのレンズ群が、物体からの光線を折り曲げる反射面を有するレンズ素子を含み、
撮像時の広角端から望遠端へのズーミングの際に、前記第１レンズ群及び第３レンズ群が光軸に沿って移動せず、
以下の条件（１）：
１．４２＜ｎｄ4ave＜１．５８  ・・・（１）
（ここで、
ｎｄ4ave：第４レンズ群を構成するレンズ素子のｄ線に対する屈折率の平均値
である）
を満足するズームレンズ系である、撮像装置
に関する。
【００１２】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、正のパワーを有する第１レンズ群と、負のパワーを有する第２レンズ群と、正のパワーを有する第３レンズ群と、パワーを有する第４レンズ群を含む後続レンズ群とからなり、
前記第１レンズ群、第２レンズ群、第３レンズ群及び後続レンズ群のいずれか１つのレンズ群が、物体からの光線を折り曲げる反射面を有するレンズ素子を含み、
撮像時の広角端から望遠端へのズーミングの際に、前記第１レンズ群及び第３レンズ群が光軸に沿って移動せず、
以下の条件（１）：
１．４２＜ｎｄ4ave＜１．５８  ・・・（１）
（ここで、
ｎｄ4ave：第４レンズ群を構成するレンズ素子のｄ線に対する屈折率の平均値
である）
を満足するズームレンズ系である、カメラ
に関する。
【００１３】
（II）上記目的の１つは、以下のズームレンズ系により達成される。すなわち本発明は、
物体側から像側へと順に、正のパワーを有する第１レンズ群と、負のパワーを有する第２レンズ群と、正のパワーを有する第３レンズ群と、パワーを有する第４レンズ群を含む後続レンズ群とからなり、
前記第１レンズ群、第２レンズ群、第３レンズ群及び後続レンズ群のいずれか１つのレンズ群が、物体からの光線を折り曲げる反射面を有するレンズ素子を含み、
撮像時の広角端から望遠端へのズーミングの際に、前記第１レンズ群及び第３レンズ群が光軸に沿って移動せず、
第４レンズ群を構成する全レンズ素子のうち、少なくとも１枚が以下の条件（２−１）及び（２−２）：
１．４２＜ｎｄ4＜１．６６  ・・・（２−１）
１５＜νｄ4＜３６  ・・・（２−２）
（ここで、
ｎｄ4：第４レンズ群を構成するレンズ素子のｄ線に対する屈折率、
νｄ4：第４レンズ群を構成するレンズ素子のｄ線に対するアッベ数
である）
を同時に満足する、ズームレンズ系
に関する。
【００１４】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、正のパワーを有する第１レンズ群と、負のパワーを有する第２レンズ群と、正のパワーを有する第３レンズ群と、パワーを有する第４レンズ群を含む後続レンズ群とからなり、
前記第１レンズ群、第２レンズ群、第３レンズ群及び後続レンズ群のいずれか１つのレンズ群が、物体からの光線を折り曲げる反射面を有するレンズ素子を含み、
撮像時の広角端から望遠端へのズーミングの際に、前記第１レンズ群及び第３レンズ群が光軸に沿って移動せず、
第４レンズ群を構成する全レンズ素子のうち、少なくとも１枚が以下の条件（２−１）及び（２−２）：
１．４２＜ｎｄ4＜１．６６  ・・・（２−１）
１５＜νｄ4＜３６  ・・・（２−２）
（ここで、
ｎｄ4：第４レンズ群を構成するレンズ素子のｄ線に対する屈折率、
νｄ4：第４レンズ群を構成するレンズ素子のｄ線に対するアッベ数
である）
を同時に満足するズームレンズ系である、撮像装置
に関する。
【００１５】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、正のパワーを有する第１レンズ群と、負のパワーを有する第２レンズ群と、正のパワーを有する第３レンズ群と、パワーを有する第４レンズ群を含む後続レンズ群とからなり、
前記第１レンズ群、第２レンズ群、第３レンズ群及び後続レンズ群のいずれか１つのレンズ群が、物体からの光線を折り曲げる反射面を有するレンズ素子を含み、
撮像時の広角端から望遠端へのズーミングの際に、前記第１レンズ群及び第３レンズ群が光軸に沿って移動せず、
第４レンズ群を構成する全レンズ素子のうち、少なくとも１枚が以下の条件（２−１）及び（２−２）：
１．４２＜ｎｄ4＜１．６６  ・・・（２−１）
１５＜νｄ4＜３６  ・・・（２−２）
（ここで、
ｎｄ4：第４レンズ群を構成するレンズ素子のｄ線に対する屈折率、
νｄ4：第４レンズ群を構成するレンズ素子のｄ線に対するアッベ数
である）
を同時に満足するズームレンズ系である、カメラ
に関する。
【発明の効果】
【００１６】
本発明によれば、解像度が高く、比較的高いズーミング比を有しながら、レンズ系を構成するレンズ数が少なく、レンズ全長が短く高性能なズームレンズ系、該ズームレンズ系
を含む撮像装置、及び該撮像装置を備えた薄型でコンパクトなカメラを提供することができる。
【図面の簡単な説明】
【００１７】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６（実施例６）に係るズームレンズ系の無限遠合焦状態を示すレンズ配置図
【図１７】実施例６に係るズームレンズ系の無限遠合焦状態の縦収差図
【図１８】実施例６に係るズームレンズ系の望遠端における、像ぶれ補正を行っていない基本状態及び像ぶれ補正状態での横収差図
【図１９】実施の形態７に係るデジタルスチルカメラの概略構成図
【発明を実施するための形態】
【００１８】
（実施の形態１〜６）
図１、４、７、１０、１３及び１６は、各々実施の形態１〜６に係るズームレンズ系のレンズ配置図である。
【００１９】
図１、４、７、１０、１３及び１６は、いずれも無限遠合焦状態にあるズームレンズ系を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態への
フォーカシングを表す。すなわち、無限遠合焦状態から近接物体合焦状態へのフォーカシングの際の移動方向を示している。
【００２０】
各実施の形態に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４と、負のパワーを有する第５レンズ群Ｇ５とを備える。第１レンズ群Ｇ１中の第２レンズ素子Ｌ２（プリズム）は、物体からの光線を折り曲げる、例えば物体からの軸上主光線を略９０°折り曲げる反射面を有するレンズ素子に相当し、反射面の位置は省略している。なお、各実施の形態に係るズームレンズ系では、反射面を有するレンズ素子がプリズムであるが、該反射面を有するレンズ素子は、例えばミラー素子であってもよい。また、各実施の形態に係るズームレンズ系に配置されたプリズムはいずれも、後述するように、入射面及び出射面とも平面であるが、レンズ構成に応じて入射面及び出射面の少なくとも一方が凸面又は凹面であってもよい。
【００２１】
ズーミングに際して、各レンズ群の間隔、すなわち、前記第１レンズ群Ｇ１と第２レンズ群Ｇ２との間隔、第２レンズ群Ｇ２と第３レンズ群Ｇ３との間隔、第３レンズ群Ｇ３と第４レンズ群Ｇ４との間隔、及び第４レンズ群Ｇ４と第５レンズ群Ｇ５との間隔がいずれも変化するように、第２レンズ群Ｇ２及び第４レンズ群Ｇ４が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００２２】
なお図１、４、７、１０、１３及び１６において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第５レンズ群Ｇ５の最像側レンズ面との間）には、光学的ローパスフィルタや撮像素子のフェースプレート等と等価な平行平板Ｐが設けられている。
【００２３】
さらに図１、４、７、１０、１３及び１６において、第３レンズ群Ｇ３の最像側、すなわち、第３レンズ群Ｇ３と第４レンズ群Ｇ４との間に開口絞りＡが設けられている。該開口絞りＡは、撮像時の広角端から望遠端へのズーミングの際に光軸上を移動しない。すなわち、該開口絞りＡは、撮像時の広角端から望遠端へのズーミングの際に、第３レンズ群Ｇ３と共に像面に対して固定される。
【００２４】
図１に示すように、実施の形態１に係るズームレンズ系において、第１レンズ群Ｇ１は、物体側から像側へと順に、物体側に凸面を向けた負メニスカス形状の第１レンズ素子Ｌ１と、入射面及び出射面とも平面であり反射面を有する第２レンズ素子Ｌ２（プリズム）と、両凸形状の第３レンズ素子Ｌ３とからなる。これらのうち、第３レンズ素子Ｌ３は、その両面が非球面である。
【００２５】
実施の形態１に係るズームレンズ系において、第２レンズ群Ｇ２は、物体側から像側へと順に、両凹形状の第４レンズ素子Ｌ４と、両凹形状の第５レンズ素子Ｌ５と、物体側に凸面を向けた正メニスカス形状の第６レンズ素子Ｌ６とからなる。これらのうち、第５レンズ素子Ｌ５と第６レンズ素子Ｌ６とは接合されている。
【００２６】
また実施の形態１に係るズームレンズ系において、第３レンズ群Ｇ３は、両凸形状の第７レンズ素子Ｌ７のみからなる。この第７レンズ素子Ｌ７は、その物体側面が非球面である。
【００２７】
また実施の形態１に係るズームレンズ系において、第４レンズ群Ｇ４は、物体側から像側へと順に、両凸形状の第８レンズ素子Ｌ８と、物体側に凸面を向けた負メニスカス形状の第９レンズ素子Ｌ９とからなる。これらのうち、第９レンズ素子Ｌ９は、その両面が非球面である。
【００２８】
また実施の形態１に係るズームレンズ系において、第５レンズ群Ｇ５は、物体側から像側へと順に、両凹形状の第１０レンズ素子Ｌ１０と、両凸形状の第１１レンズ素子Ｌ１１とからなる。これらのうち、第１１レンズ素子Ｌ１１は、その物体側面が非球面である。
【００２９】
なお、実施の形態１に係るズームレンズ系において、像面Ｓの物体側（像面Ｓと第１１レンズ素子Ｌ１１との間）には、平行平板Ｐが設けられている。
【００３０】
実施の形態１に係るズームレンズ系において、撮像時の広角端から望遠端へのズーミングの際に、第２レンズ群Ｇ２は、略単調に像側へ移動し、第４レンズ群Ｇ４は、略単調に物体側へ移動し、第１レンズ群Ｇ１、第３レンズ群Ｇ３及び第５レンズ群Ｇ５は、像面に対して固定される。すなわち、ズーミングに際して、第１レンズ群Ｇ１と第２レンズ群Ｇ２との間隔及び第４レンズ群Ｇ４と第５レンズ群Ｇ５との間隔が増大し、第２レンズ群Ｇ２と第３レンズ群Ｇ３との間隔及び第３レンズ群Ｇ３と第４レンズ群Ｇ４との間隔が減少するように、第２レンズ群Ｇ２及び第４レンズ群Ｇ４が光軸に沿ってそれぞれ移動する。
【００３１】
図４に示すように、実施の形態２に係るズームレンズ系において、第１レンズ群Ｇ１は、物体側から像側へと順に、物体側に凸面を向けた負メニスカス形状の第１レンズ素子Ｌ１と、入射面及び出射面とも平面であり反射面を有する第２レンズ素子Ｌ２（プリズム）と、両凸形状の第３レンズ素子Ｌ３とからなる。これらのうち、第３レンズ素子Ｌ３は、その両面が非球面である。
【００３２】
実施の形態２に係るズームレンズ系において、第２レンズ群Ｇ２は、物体側から像側へと順に、両凹形状の第４レンズ素子Ｌ４と、両凹形状の第５レンズ素子Ｌ５と、両凸形状の第６レンズ素子Ｌ６とからなる。これらのうち、第５レンズ素子Ｌ５と第６レンズ素子Ｌ６とは接合されている。
【００３３】
また実施の形態２に係るズームレンズ系において、第３レンズ群Ｇ３は、両凸形状の第７レンズ素子Ｌ７のみからなる。この第７レンズ素子Ｌ７は、その物体側面が非球面である。
【００３４】
また実施の形態２に係るズームレンズ系において、第４レンズ群Ｇ４は、物体側から像側へと順に、両凸形状の第８レンズ素子Ｌ８と、両凹形状の第９レンズ素子Ｌ９とからなる。これらのうち、第９レンズ素子Ｌ９は、その両面が非球面である。
【００３５】
また実施の形態２に係るズームレンズ系において、第５レンズ群Ｇ５は、物体側から像側へと順に、物体側に凸面を向けた負メニスカス形状の第１０レンズ素子Ｌ１０と、物体側に凸面を向けた正メニスカス形状の第１１レンズ素子Ｌ１１とからなる。これらのうち、第１１レンズ素子Ｌ１１は、その両面が非球面である。
【００３６】
なお、実施の形態２に係るズームレンズ系において、像面Ｓの物体側（像面Ｓと第１１レンズ素子Ｌ１１との間）には、平行平板Ｐが設けられている。
【００３７】
実施の形態２に係るズームレンズ系において、撮像時の広角端から望遠端へのズーミングの際に、第２レンズ群Ｇ２は、略単調に像側へ移動し、第４レンズ群Ｇ４は、略単調に物体側へ移動し、第１レンズ群Ｇ１、第３レンズ群Ｇ３及び第５レンズ群Ｇ５は、像面に
対して固定される。すなわち、ズーミングに際して、第１レンズ群Ｇ１と第２レンズ群Ｇ２との間隔及び第４レンズ群Ｇ４と第５レンズ群Ｇ５との間隔が増大し、第２レンズ群Ｇ２と第３レンズ群Ｇ３との間隔及び第３レンズ群Ｇ３と第４レンズ群Ｇ４との間隔が減少するように、第２レンズ群Ｇ２及び第４レンズ群Ｇ４が光軸に沿ってそれぞれ移動する。
【００３８】
図７に示すように、実施の形態３に係るズームレンズ系において、第１レンズ群Ｇ１は、物体側から像側へと順に、物体側に凸面を向けた負メニスカス形状の第１レンズ素子Ｌ１と、入射面及び出射面とも平面であり反射面を有する第２レンズ素子Ｌ２（プリズム）と、両凸形状の第３レンズ素子Ｌ３とからなる。これらのうち、第３レンズ素子Ｌ３は、その両面が非球面である。
【００３９】
実施の形態３に係るズームレンズ系において、第２レンズ群Ｇ２は、物体側から像側へと順に、両凹形状の第４レンズ素子Ｌ４と、両凹形状の第５レンズ素子Ｌ５と、物体側に凸面を向けた正メニスカス形状の第６レンズ素子Ｌ６とからなる。これらのうち、第５レンズ素子Ｌ５と第６レンズ素子Ｌ６とは接合されている。
【００４０】
また実施の形態３に係るズームレンズ系において、第３レンズ群Ｇ３は、両凸形状の第７レンズ素子Ｌ７のみからなる。この第７レンズ素子Ｌ７は、その物体側面が非球面である。
【００４１】
また実施の形態３に係るズームレンズ系において、第４レンズ群Ｇ４は、物体側から像側へと順に、両凸形状の第８レンズ素子Ｌ８と、物体側に凸面を向けた負メニスカス形状の第９レンズ素子Ｌ９とからなる。これらのうち、第９レンズ素子Ｌ９は、その両面が非球面である。
【００４２】
また実施の形態３に係るズームレンズ系において、第５レンズ群Ｇ５は、物体側から像側へと順に、両凹形状の第１０レンズ素子Ｌ１０と、物体側に凸面を向けた正メニスカス形状の第１１レンズ素子Ｌ１１とからなる。これらのうち、第１１レンズ素子Ｌ１１は、その両面が非球面である。
【００４３】
なお、実施の形態３に係るズームレンズ系において、像面Ｓの物体側（像面Ｓと第１１レンズ素子Ｌ１１との間）には、平行平板Ｐが設けられている。
【００４４】
実施の形態３に係るズームレンズ系において、撮像時の広角端から望遠端へのズーミングの際に、第２レンズ群Ｇ２は、略単調に像側へ移動し、第４レンズ群Ｇ４は、略単調に物体側へ移動し、第１レンズ群Ｇ１、第３レンズ群Ｇ３及び第５レンズ群Ｇ５は、像面に対して固定される。すなわち、ズーミングに際して、第１レンズ群Ｇ１と第２レンズ群Ｇ２との間隔及び第４レンズ群Ｇ４と第５レンズ群Ｇ５との間隔が増大し、第２レンズ群Ｇ２と第３レンズ群Ｇ３との間隔及び第３レンズ群Ｇ３と第４レンズ群Ｇ４との間隔が減少するように、第２レンズ群Ｇ２及び第４レンズ群Ｇ４が光軸に沿ってそれぞれ移動する。
【００４５】
図１０に示すように、実施の形態４に係るズームレンズ系において、第１レンズ群Ｇ１は、物体側から像側へと順に、物体側に凸面を向けた負メニスカス形状の第１レンズ素子Ｌ１と、入射面及び出射面とも平面であり反射面を有する第２レンズ素子Ｌ２（プリズム）と、両凸形状の第３レンズ素子Ｌ３とからなる。これらのうち、第３レンズ素子Ｌ３は、その両面が非球面である。
【００４６】
実施の形態４に係るズームレンズ系において、第２レンズ群Ｇ２は、物体側から像側へと順に、両凹形状の第４レンズ素子Ｌ４と、物体側に凸面を向けた負メニスカス形状の第５レンズ素子Ｌ５と、物体側に凸面を向けた正メニスカス形状の第６レンズ素子Ｌ６とか
らなる。これらのうち、第５レンズ素子Ｌ５と第６レンズ素子Ｌ６とは接合されている。また、第５レンズ素子Ｌ５は、その物体側面が非球面である。
【００４７】
また実施の形態４に係るズームレンズ系において、第３レンズ群Ｇ３は、両凸形状の第７レンズ素子Ｌ７のみからなる。この第７レンズ素子Ｌ７は、その両面が非球面である。
【００４８】
また実施の形態４に係るズームレンズ系において、第４レンズ群Ｇ４は、物体側から像側へと順に、両凸形状の第８レンズ素子Ｌ８と、物体側に凸面を向けた負メニスカス形状の第９レンズ素子Ｌ９とからなる。これらのうち、第９レンズ素子Ｌ９は、その物体側面が非球面である。
【００４９】
また実施の形態４に係るズームレンズ系において、第５レンズ群Ｇ５は、物体側から像側へと順に、物体側に凸面を向けた負メニスカス形状の第１０レンズ素子Ｌ１０と、物体側に凸面を向けた正メニスカス形状の第１１レンズ素子Ｌ１１とからなる。これらのうち、第１１レンズ素子Ｌ１１は、その物体側面が非球面である。
【００５０】
なお、実施の形態４に係るズームレンズ系において、像面Ｓの物体側（像面Ｓと第１１レンズ素子Ｌ１１との間）には、平行平板Ｐが設けられている。
【００５１】
実施の形態４に係るズームレンズ系において、撮像時の広角端から望遠端へのズーミングの際に、第２レンズ群Ｇ２は、略単調に像側へ移動し、第４レンズ群Ｇ４は、略単調に物体側へ移動し、第１レンズ群Ｇ１、第３レンズ群Ｇ３及び第５レンズ群Ｇ５は、像面に対して固定される。すなわち、ズーミングに際して、第１レンズ群Ｇ１と第２レンズ群Ｇ２との間隔及び第４レンズ群Ｇ４と第５レンズ群Ｇ５との間隔が増大し、第２レンズ群Ｇ２と第３レンズ群Ｇ３との間隔及び第３レンズ群Ｇ３と第４レンズ群Ｇ４との間隔が減少するように、第２レンズ群Ｇ２及び第４レンズ群Ｇ４が光軸に沿ってそれぞれ移動する。
【００５２】
図１３に示すように、実施の形態５に係るズームレンズ系において、第１レンズ群Ｇ１は、物体側から像側へと順に、物体側に凸面を向けた負メニスカス形状の第１レンズ素子Ｌ１と、入射面及び出射面とも平面であり反射面を有する第２レンズ素子Ｌ２（プリズム）と、両凸形状の第３レンズ素子Ｌ３とからなる。これらのうち、第３レンズ素子Ｌ３は、その両面が非球面である。
【００５３】
実施の形態５に係るズームレンズ系において、第２レンズ群Ｇ２は、物体側から像側へと順に、両凹形状の第４レンズ素子Ｌ４と、両凹形状の第５レンズ素子Ｌ５と、物体側に凸面を向けた正メニスカス形状の第６レンズ素子Ｌ６とからなる。これらのうち、第５レンズ素子Ｌ５は、その像側面が非球面である。
【００５４】
また実施の形態５に係るズームレンズ系において、第３レンズ群Ｇ３は、物体側に凸面を向けた正メニスカス形状の第７レンズ素子Ｌ７のみからなる。この第７レンズ素子Ｌ７は、その両面が非球面である。
【００５５】
また実施の形態５に係るズームレンズ系において、第４レンズ群Ｇ４は、物体側から像側へと順に、両凸形状の第８レンズ素子Ｌ８と、物体側に凸面を向けた負メニスカス形状の第９レンズ素子Ｌ９とからなる。これらのうち、第９レンズ素子Ｌ９は、その両面が非球面である。
【００５６】
また実施の形態５に係るズームレンズ系において、第５レンズ群Ｇ５は、物体側から像側へと順に、両凹形状の第１０レンズ素子Ｌ１０と、物体側に凸面を向けた正メニスカス形状の第１１レンズ素子Ｌ１１とからなる。これらのうち、第１１レンズ素子Ｌ１１は、
その物体側面が非球面である。
【００５７】
なお、実施の形態５に係るズームレンズ系において、像面Ｓの物体側（像面Ｓと第１１レンズ素子Ｌ１１との間）には、平行平板Ｐが設けられている。
【００５８】
実施の形態５に係るズームレンズ系において、撮像時の広角端から望遠端へのズーミングの際に、第２レンズ群Ｇ２は、略単調に像側へ移動し、第４レンズ群Ｇ４は、略単調に物体側へ移動し、第１レンズ群Ｇ１、第３レンズ群Ｇ３及び第５レンズ群Ｇ５は、像面に対して固定される。すなわち、ズーミングに際して、第１レンズ群Ｇ１と第２レンズ群Ｇ２との間隔及び第４レンズ群Ｇ４と第５レンズ群Ｇ５との間隔が増大し、第２レンズ群Ｇ２と第３レンズ群Ｇ３との間隔及び第３レンズ群Ｇ３と第４レンズ群Ｇ４との間隔が減少するように、第２レンズ群Ｇ２及び第４レンズ群Ｇ４が光軸に沿ってそれぞれ移動する。
【００５９】
図１６に示すように、実施の形態６に係るズームレンズ系において、第１レンズ群Ｇ１は、物体側から像側へと順に、物体側に凸面を向けた負メニスカス形状の第１レンズ素子Ｌ１と、入射面及び出射面とも平面であり反射面を有する第２レンズ素子Ｌ２（プリズム）と、両凸形状の第３レンズ素子Ｌ３とからなる。これらのうち、第３レンズ素子Ｌ３は、その両面が非球面である。
【００６０】
実施の形態６に係るズームレンズ系において、第２レンズ群Ｇ２は、物体側から像側へと順に、両凹形状の第４レンズ素子Ｌ４と、両凹形状の第５レンズ素子Ｌ５と、物体側に凸面を向けた正メニスカス形状の第６レンズ素子Ｌ６とからなる。これらのうち、第５レンズ素子Ｌ５と第６レンズ素子Ｌ６とは接合されている。
【００６１】
また実施の形態６に係るズームレンズ系において、第３レンズ群Ｇ３は、物体側に凸面を向けた正メニスカス形状の第７レンズ素子Ｌ７のみからなる。この第７レンズ素子Ｌ７は、その物体側面が非球面である。
【００６２】
また実施の形態６に係るズームレンズ系において、第４レンズ群Ｇ４は、物体側から像側へと順に、両凸形状の第８レンズ素子Ｌ８と、物体側に凸面を向けた負メニスカス形状の第９レンズ素子Ｌ９とからなる。これらのうち、第９レンズ素子Ｌ９は、その両面が非球面である。
【００６３】
また実施の形態６に係るズームレンズ系において、第５レンズ群Ｇ５は、物体側から像側へと順に、両凹形状の第１０レンズ素子Ｌ１０と、物体側に凸面を向けた正メニスカス形状の第１１レンズ素子Ｌ１１とからなる。これらのうち、第１１レンズ素子Ｌ１１は、その両面が非球面である。
【００６４】
なお、実施の形態６に係るズームレンズ系において、像面Ｓの物体側（像面Ｓと第１１レンズ素子Ｌ１１との間）には、平行平板Ｐが設けられている。
【００６５】
実施の形態６に係るズームレンズ系において、撮像時の広角端から望遠端へのズーミングの際に、第２レンズ群Ｇ２は、略単調に像側へ移動し、第４レンズ群Ｇ４は、略単調に物体側へ移動し、第１レンズ群Ｇ１、第３レンズ群Ｇ３及び第５レンズ群Ｇ５は、像面に対して固定される。すなわち、ズーミングに際して、第１レンズ群Ｇ１と第２レンズ群Ｇ２との間隔及び第４レンズ群Ｇ４と第５レンズ群Ｇ５との間隔が増大し、第２レンズ群Ｇ２と第３レンズ群Ｇ３との間隔及び第３レンズ群Ｇ３と第４レンズ群Ｇ４との間隔が減少するように、第２レンズ群Ｇ２及び第４レンズ群Ｇ４が光軸に沿ってそれぞれ移動する。
【００６６】
実施の形態１〜６に係るズームレンズ系では、レンズ系全体が１１枚のレンズ素子で構
成されているので、後述するように、例えば３．５倍を超える比較的高いズーミング比でありながら、レンズ全長が非常に短いレンズ系となっている。
【００６７】
実施の形態１〜６に係るズームレンズ系では、第１レンズ群Ｇ１が、物体からの光線を折り曲げることができる、例えば物体からの軸上主光線を略９０°折り曲げることができる反射面を有する第２レンズ素子Ｌ２（プリズム）を含んでいるので、撮像状態において、ズームレンズ系を物体からの軸上光線の光軸方向に薄く構成することが可能である。
【００６８】
実施の形態１〜６に係るズームレンズ系では、撮像時の広角端から望遠端へのズーミングの際に、第１レンズ群Ｇ１が光軸に沿って移動しないので、該ズームレンズ系を収納するレンズ鏡筒として、ズーミングによる形状変化がないレンズ鏡筒を使用することができ、形状の自由度が高く、かつ耐衝撃性に優れたカメラを製造することが可能である。
【００６９】
さらに実施の形態１〜６に係るズームレンズ系では、撮像時の広角端から望遠端へのズーミングの際に、第３レンズ群Ｇ３も光軸に沿って移動しないので、可動レンズ群が少なく、レンズ鏡筒構成を容易にすることができる。
【００７０】
実施の形態１〜６に係るズームレンズ系では、第４レンズ群Ｇ４が、物体側から像側へと順に、正のパワーを有する１枚のレンズ素子と負のパワーを有する１枚のレンズ素子とを含み、該正のパワーを有するレンズ素子と負のパワーを有するレンズ素子とが空気間隔を隔てて配置されているので、第４レンズ群Ｇ４の構成の自由度が高く、該第４レンズ群Ｇ４の収差補正能力を向上させることができる。
【００７１】
実施の形態１〜６に係るズームレンズ系では、開口絞りＡが第３レンズ群Ｇ３と第４レンズ群Ｇ４との間に配置されているので、例えば開口絞りＡを第２レンズ群Ｇ２と第３レンズ群Ｇ３との間に配置するよりも第２レンズ群Ｇ２の移動量を増大させることができ、特に広角端の像面湾曲補正に効果的である。
【００７２】
なお、実施の形態１〜６に係るズームレンズ系は、第１レンズ群Ｇ１〜第５レンズ群Ｇ５を備えた５群構成であるが、少なくとも第１レンズ群Ｇ１〜第４レンズ群Ｇ４を備える限り、ズームレンズ系を構成するレンズ群の数には特に限定がない。
【００７３】
また、実施の形態１〜６に係るズームレンズ系では、第４レンズ群Ｇ４が正のパワーを有し、第５レンズ群Ｇ５が負のパワーを有するが、第３レンズ群Ｇ３に後続するこれらのレンズ群のパワーには特に限定がなく、第４レンズ群Ｇ４が正のパワーで第５レンズ群Ｇ５が正のパワーの構成や、第４レンズ群Ｇ４が負のパワーで第５レンズ群Ｇ５が正のパワーの構成や、第４レンズ群Ｇ４が負のパワーで第５レンズ群Ｇ５が負のパワーの構成であってもよい。
【００７４】
さらに、実施の形態１〜６に係るズームレンズ系では、第１レンズ群Ｇ１、第２レンズ群Ｇ２、第３レンズ群Ｇ３、第４レンズ群Ｇ４及び第５レンズ群Ｇ５のうちのいずれかのレンズ群全体、又は各レンズ群の一部のサブレンズ群を光軸に直交する方向に移動させることによって、全系の振動による像点移動を補正する、すなわち、手ぶれ、振動等による像のぶれを光学的に補正することができる。
【００７５】
全系の振動による像点移動を補正する際に、例えば第５レンズ群Ｇ５を構成するレンズ素子が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【００７６】
なお、前記各レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【００７７】
以下、例えば実施の形態１〜６に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００７８】
例えば実施の形態１〜６に係るズームレンズ系のように、物体側から像側へと順に、正のパワーを有する第１レンズ群と、負のパワーを有する第２レンズ群と、正のパワーを有する第３レンズ群と、パワーを有する第４レンズ群を含む後続レンズ群とを備え、これら第１レンズ群、第２レンズ群、第３レンズ群及び後続レンズ群のいずれか１つのレンズ群が、物体からの光線を折り曲げる反射面を有するレンズ素子を含み、撮像時の広角端から望遠端へのズーミングの際に、第１レンズ群及び第３レンズ群が光軸に沿って移動しない（以下、このレンズ構成を、実施の形態の基本構成という）ズームレンズ系は、以下の条件（１）を満足する。
１．４２＜ｎｄ4ave＜１．５８  ・・・（１）
ここで、
ｎｄ4ave：第４レンズ群を構成するレンズ素子のｄ線に対する屈折率の平均値
である。
【００７９】
前記条件（１）は、第４レンズ群を構成するレンズ素子のｄ線に対する屈折率を規定しており、第４レンズ群を構成する全レンズ素子の平均値がこの条件（１）を満足する。条件（１）の下限を下回ると、屈折率が低いために曲率半径が小さくなり過ぎ、主にズーミングに伴う球面収差の変動の制御が困難になる。逆に条件（１）の上限を上回ると、ズーミングに伴う像面湾曲の変動の制御が困難になる。また、面形状の誤差に伴う光学性能劣化が激しくなってしまう。
【００８０】
なお、さらに以下の条件（１）’及び（１）’’ の少なくとも１つを満足することにより、前記効果をさらに奏功させることができる。
１．５０＜ｎｄ4ave  ・・・（１）’
ｎｄ4ave＜１．５７  ・・・（１）’’
【００８１】
また、例えば実施の形態１〜６に係るズームレンズ系のように、基本構成を有するズームレンズ系は、第４レンズ群を構成する全レンズ素子のうち、少なくとも１枚が以下の条件（２−１）及び（２−２）を同時に満足する。
１．４２＜ｎｄ4＜１．６６  ・・・（２−１）
１５＜νｄ4＜３６  ・・・（２−２）
ここで、
ｎｄ4：第４レンズ群を構成するレンズ素子のｄ線に対する屈折率、
νｄ4：第４レンズ群を構成するレンズ素子のｄ線に対するアッベ数
である。
【００８２】
前記条件（２−１）は、第４レンズ群を構成するレンズ素子のｄ線に対する屈折率を規定しており、第４レンズ群を構成する全レンズ素子のうち、少なくとも１枚がこの条件（２−１）を満足する。条件（２−１）の下限を下回ると、屈折率が低いために曲率半径が小さくなり過ぎ、主に望遠端における球面収差の制御が困難になる。逆に条件（２−１）の上限を上回ると、ズーミングに伴う軸上色収差の変動の制御が困難になる。また、面形
状の誤差に伴う光学性能劣化が激しくなってしまう。
【００８３】
なお、さらに以下の条件（２−１）’及び（２−１）’’の少なくとも１つを満足することにより、前記効果をさらに奏功させることができる。
１．５５＜ｎｄ4  ・・・（２−１）’
ｎｄ4＜１．６４  ・・・（２−１）’’
【００８４】
前記条件（２−２）は、第４レンズ群を構成するレンズ素子のｄ線に対するアッベ数を規定しており、第４レンズ群を構成する全レンズ素子のうち、少なくとも１枚がこの条件（２−２）を満足する。条件（２−２）の下限を下回ると、広角端の倍率色収差の制御が困難になる。また、望遠端での近距離撮影時の倍率色収差の制御が困難になる。逆に条件（２−２）の上限を上回ると、第４レンズ群内で発生する色収差を充分に小さくすることができず、ズーミングに伴う軸上色収差の変動の制御が困難になる。
【００８５】
なお、さらに以下の条件（２−２）’及び（２−２）’’の少なくとも１つを満足することにより、前記効果をさらに奏功させることができる。
２２＜νｄ4  ・・・（２−２）’
νｄ4＜３２  ・・・（２−２）’’
【００８６】
例えば実施の形態１〜６に係るズームレンズ系のように、基本構成を有するズームレンズ系は、以下の条件（３）及び（ａ）を満足することが好ましい。
２．０＜ｆW／ｔG2＜７．０  ・・・（３）
ｆT／ｆW＞２．５  ・・・（ａ）
ここで、
ｔG2：第２レンズ群の厚み（最物体側レンズ素子の物体側面から最像側レンズ素子の像側面までの光軸上の距離）、
ｆT：望遠端での全系の焦点距離、
ｆW：広角端での全系の焦点距離
である。
【００８７】
前記条件（３）は、第２レンズ群の光軸上の厚みを規定している。条件（３）の下限を下回ると、広角端での歪曲収差の制御が困難になる恐れがある。逆に条件（３）の上限を上回ると、第１レンズ群の径が大きくなってしまい、コンパクト化の達成が困難になる恐れがある。またレンズ素子が薄くなりすぎ、製造が困難になる恐れがある。
【００８８】
なお、前記条件（３）は、以下の条件（ａ）’において満足することがより望ましい。
ｆT／ｆW＞３．６  ・・・（ａ）’
【００８９】
例えば実施の形態１〜６に係るズームレンズ系のように、基本構成を有するズームレンズ系は、第４レンズ群を構成する全レンズ素子のうち、少なくとも１枚が以下の条件（４）を満足することが好ましく、また前記条件（２−２）を満足する場合は、第４レンズ群を構成する全レンズ素子のうち、該条件（２−２）を満足しないレンズ素子の少なくとも１枚が以下の条件（４）を満足することが好ましい。
７０＜νｄ4  ・・・（４）
ここで、
νｄ4：第４レンズ群を構成するレンズ素子のｄ線に対するアッベ数
である。
【００９０】
前記条件（４）は、第４レンズ群を構成するレンズ素子のｄ線に対するアッベ数を規定しており、第４レンズ群を構成する全レンズ素子のうち、少なくとも１枚がこの条件（４
）を満足することが好ましく、また前記条件（２−２）を満足する構成の場合は、第４レンズ群を構成する全レンズ素子のうち、該条件（２−２）を満足しないレンズ素子の少なくとも１枚がこの条件（４）を満足することが好ましい。条件（４）の下限を下回ると、ズーミングに伴う軸上色収差の変動の制御が困難になる恐れがある。
【００９１】
なお、さらに以下の条件（４）’を満足することにより、前記効果をさらに奏功させることができる。
８０＜νｄ4  ・・・（４）’
【００９２】
例えば実施の形態１〜６に係るズームレンズ系のように、基本構成を有するズームレンズ系は、以下の条件（５）及び（ａ）を満足することが好ましい。
−０．６５＜ｆG2／ｆG4＜−０．３５  ・・・（５）
ｆT／ｆW＞２．５  ・・・（ａ）
ここで、
ｆG2：第２レンズ群の合成焦点距離、
ｆG4：第４レンズ群の合成焦点距離、
ｆT：望遠端での全系の焦点距離、
ｆW：広角端での全系の焦点距離
である。
【００９３】
前記条件（５）は、第２レンズ群及び第４レンズ群の適切な焦点距離を規定している。条件（５）の下限を下回ると、第４レンズ群の収差補正への寄与が大きくなりすぎ、ズーミングに伴う球面収差の変動の制御が困難になる恐れがある。逆に条件（５）の上限を上回ると、第２レンズ群の収差補正への寄与が大きくなりすぎ、広角端での非点収差、歪曲収差の制御が困難になる恐れがある。
【００９４】
なお、さらに以下の条件（５）’及び（５）’’の少なくとも１つを満足することにより、前記効果をさらに奏功させることができる。
−０．５０＜ｆG2／ｆG4  ・・・（５）’
ｆG2／ｆG4＜−０．４０  ・・・（５）’’
【００９５】
また、前記条件（５）、（５）’及び（５）’’は、以下の条件（ａ）’において満足することがより望ましい。
ｆT／ｆW＞３．６  ・・・（ａ）’
【００９６】
実施の形態１〜６に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【００９７】
さらに各実施の形態では、像面Ｓの物体側（像面Ｓと第５レンズ群Ｇ５の最像側レンズ面との間）には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【００９８】
（実施の形態７）
図１９は、実施の形態７に係るデジタルスチルカメラの概略構成図である。図１９において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図１９において、ズームレンズ系１は、第１レンズ群Ｇ１と、第２レンズ群Ｇ２と、第３レンズ群Ｇ３と、開口絞りＡと、第４レンズ群Ｇ４と、第５レンズ群Ｇ５とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００９９】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図１９に示したデジタルスチルカメラには、実施の形態１に係るズームレンズ系の替わりに実施の形態２〜６に係るズームレンズ系のいずれかを用いてもよい。また、図１９に示したデジタルスチルカメラの光学系は、動画像を対象とするデジタルビデオカメラに用いることもできる。この場合、静止画像だけでなく、解像度の高い動画像を撮影することができる。
【０１００】
なお、本実施の形態７に係るデジタルスチルカメラでは、ズームレンズ系１として実施の形態１〜６に係るズームレンズ系を示したが、これらのズームレンズ系は、全てのズーミング域を使用する必要はない。すなわち、所望のズーミング域に応じて、光学性能が確保されている範囲を切り出し、実施の形態１〜６で説明したズームレンズ系よりも低倍率のズームレンズ系として使用してもよい。
【０１０１】
また、以上説明した実施の形態１〜６に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等に適用することもできる。
【０１０２】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2011085653.tif 000003
ここで、κは円錐定数、Ａ４、Ａ６、Ａ８、Ａ１０及びＡ１２は、それぞれ４次、６次、８次、１０次及び１２次の非球面係数である。
【０１０３】
図２、５、８、１１、１４及び１７は、各々実施の形態１〜６に係るズームレンズ系の縦収差図である。
【０１０４】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−
ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１０５】
また図３、６、９、１２、１５及び１８は、各々実施の形態１〜６に係るズームレンズ系の望遠端における横収差図である。
【０１０６】
各横収差図において、上段３つの収差図は、望遠端における像ぶれ補正を行っていない基本状態、下段３つの収差図は、第５レンズ群Ｇ５の最像側レンズ素子を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第５レンズ群Ｇ５の光軸とを含む平面としている。
【０１０７】
なお、各実施例のズームレンズ系について、望遠端における、像ぶれ補正状態での第５レンズ群Ｇ５の最像側レンズ素子の光軸と垂直な方向への移動量は、以下に示すとおりである。
実施例１  ０．２２１ｍｍ
実施例２  ０．２５２ｍｍ
実施例３  ０．２６８ｍｍ
実施例４  ０．２８６ｍｍ
実施例５  ０．２８６ｍｍ
実施例６  ０．３１９ｍｍ
【０１０８】
撮影距離が∞で望遠端において、ズームレンズ系が０．３°だけ傾いた場合の像偏心量は、第５レンズ群Ｇ５の最像側レンズ素子が光軸と垂直な方向に上記の各値だけ平行移動するときの像偏心量に等しい。
【０１０９】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１１０】
（数値実施例１）
数値実施例１のズームレンズ系は、図１に示した実施の形態１に対応する。数値実施例１のズームレンズ系の面データを表１に、非球面データを表２に、各種データを表３に示す。
【０１１１】
表  １（面データ）
面番号         r           d           nd         vd
物面             ∞
1         22.36320     0.30000     1.92286    20.9 
2          9.40300     2.43850 
3               ∞     8.41150     1.84666    23.8
4               ∞     0.30000
5*        13.96120     2.69350     1.58332    59.1 
6*       -16.32610        可変
7        -14.84640     0.30000     1.91082    35.2 
8         13.34750     0.62170 
9       -342.82120     0.30000     1.67790    55.5 
10          5.79990     1.05230     1.92286    20.9 
11         13.81180        可変
12*        11.54410     1.20000     1.52996    55.8 
13        -36.88290     0.70000 
14(絞り)           ∞        可変
15          5.20650     3.46800     1.49700    81.6 
16        -17.46270     0.40000 
17*        82.83480     0.40000     1.58387    30.9 
18*        11.01620        可変
19        -18.99500     0.30000     1.92286    20.9 
20         11.91710     2.32660 
21*        10.44420     1.64240     1.52996    55.8 
22        -28.20210     3.76040 
23               ∞     0.90000     1.51680    64.2
24               ∞     (BF) 
像面             ∞
【０１１２】
表  ２（非球面データ）
第5面
K= 0.00000E+00, A4=-7.52903E-05, A6=-4.94683E-08, A8=-2.70038E-09
A10=-9.28591E-10, A12= 0.00000E+00 
第6面
K= 0.00000E+00, A4=-8.66433E-06, A6= 2.52010E-07, A8=-9.30831E-09
A10=-6.27307E-10, A12= 0.00000E+00 
第12面
K=-4.87672E-01, A4= 3.31545E-05, A6=-4.50242E-05, A8= 9.12012E-06
A10=-8.77204E-07, A12= 3.09544E-08 
第17面
K= 0.00000E+00, A4=-1.50830E-03, A6= 1.19286E-04, A8=-1.23897E-05
A10= 3.34977E-07, A12= 0.00000E+00 
第18面
K= 0.00000E+00, A4= 5.31682E-04, A6= 2.19664E-04, A8=-1.29212E-05
A10= 6.57938E-07, A12= 0.00000E+00 
第21面
K= 0.00000E+00, A4=-2.01496E-06, A6=-3.57463E-06, A8= 4.38004E-07
A10=-2.53614E-08, A12= 0.00000E+00 
【０１１３】
表  ３（各種データ）
ズーム比     3.76923
広角      中間      望遠
焦点距離       5.9832   11.6136   22.5520
Ｆナンバー     3.64111   4.12567   6.10781
画角        36.5921   18.7106    9.7447
像高         3.8000    3.9000    3.9000
ＢＦ        2.64155   2.64100   2.64747
d6           0.6000    5.5737    8.7674 
d11          9.1691    4.1954    1.0017 
d14          6.7943    4.4212    1.2386 
d18          1.7499    4.1230    7.3056 
ズームレンズ群データ
群    始面      焦点距離
1       1      19.07798
2       7      -6.13820
3      12      16.73394
4      15      11.67695
5      19     -28.69707
【０１１４】
（数値実施例２）
数値実施例２のズームレンズ系は、図４に示した実施の形態２に対応する。数値実施例２のズームレンズ系の面データを表４に、非球面データを表５に、各種データを表６に示す。
【０１１５】
表  ４（面データ）
面番号         r           d           nd         vd
物面             ∞
1         38.58780     0.52000     1.92286    20.9 
2         12.21040     1.73360 
3               ∞     8.59640     1.84666    23.8
4               ∞     0.30000
5*        10.30130     2.62640     1.58332    59.1 
6*       -18.82220        可変
7        -50.78410     0.40000     1.91082    35.2 
8          7.66810     1.13090 
9        -10.67410     0.40000     1.75500    52.3 
10         12.61930     0.99710     1.94595    18.0 
11        -99.30630        可変
12*         9.72240     1.20000     1.54410    56.1 
13        -67.39740     0.70000 
14(絞り)           ∞        可変
15          5.73680     3.05120     1.49700    81.6 
16        -19.43100     0.83310 
17*       -54.38730     0.60000     1.60740    27.0 
18*        22.17810        可変
19        455.22650     0.40000     1.92286    20.9 
20          8.00120     2.68810 
21*         8.24010     1.61380     1.54410    56.1 
22*       161.92230     3.75140 
23               ∞     0.90000     1.51680    64.2
24               ∞     (BF) 
像面             ∞
【０１１６】
表  ５（非球面データ）
第5面
K= 0.00000E+00, A4=-1.87045E-04, A6= 4.59316E-06, A8=-2.32580E-07
A10= 4.35310E-09, A12= 0.00000E+00 
第6面
K= 0.00000E+00, A4=-2.08307E-05, A6= 6.24682E-06, A8=-2.86925E-07
A10= 5.70515E-09, A12= 0.00000E+00 
第12面
K=-2.46163E+00, A4= 1.85901E-04, A6=-3.52144E-05, A8= 8.46810E-06
A10=-8.70148E-07, A12= 3.09544E-08 
第17面
K= 0.00000E+00, A4=-1.64196E-03, A6= 2.07706E-04, A8=-1.64984E-05
A10= 4.12615E-07, A12= 0.00000E+00 
第18面
K= 0.00000E+00, A4=-1.20394E-04, A6= 2.71174E-04, A8=-1.52348E-05
A10= 3.19840E-07, A12= 0.00000E+00 
第21面
K= 0.00000E+00, A4=-1.42694E-03, A6= 6.70968E-05, A8=-4.61407E-06
A10= 1.35990E-07, A12= 0.00000E+00 
第22面
K= 0.00000E+00, A4=-1.73100E-03, A6= 9.74237E-05, A8=-6.52469E-06
A10= 1.86747E-07, A12= 0.00000E+00 
【０１１７】
表  ６（各種データ）
ズーム比     3.77255
広角      中間      望遠
焦点距離       6.5049   12.6309   24.5400
Ｆナンバー     3.64260   4.09772   6.11547
画角        33.7550   17.5079    9.0667
像高         3.8000    3.9000    3.9000
ＢＦ        2.65317   2.62712   2.66976
d6           0.5000    4.6252    7.7435 
d11          8.0252    3.9000    0.7816 
d14          6.1668    3.9649    1.7902 
d18          1.6147    3.8166    5.9914 
ズームレンズ群データ
群    始面      焦点距離
1       1      15.47793
2       7      -5.30941
3      12      15.70217
4      15      12.43422
5      19     -31.61097
【０１１８】
（数値実施例３）
数値実施例３のズームレンズ系は、図７に示した実施の形態３に対応する。数値実施例３のズームレンズ系の面データを表７に、非球面データを表８に、各種データを表９に示す。
【０１１９】
表  ７（面データ）
面番号         r           d           nd         vd
物面             ∞
1         25.55550     0.30000     1.92286    20.9 
2         10.54410     1.98790 
3               ∞     8.56210     1.84666    23.8
4               ∞     0.30000
5*        10.74960     2.75970     1.58332    59.1 
6*       -17.31600        可変
7        -29.89150     0.30000     1.91082    35.2 
8          8.49950     0.99360 
9        -13.66140     0.30000     1.74624    51.4 
10          9.94510     0.98640     1.94595    18.0 
11        115.60180        可変
12*         9.11110     1.20000     1.54410    56.1 
13       -172.22630     0.70000 
14(絞り)           ∞        可変
15          5.70430     3.12090     1.49700    81.6 
16        -19.90500     0.55020 
17*        34.48440     0.50000     1.60740    27.0 
18*        11.30600        可変
19        -58.93060     0.40000     1.92286    20.9 
20         10.05090     2.67540 
21*         8.13110     1.53330     1.54410    56.1 
22*        55.32230     3.88000 
23               ∞     0.90000     1.51680    64.2
24               ∞     (BF) 
像面             ∞
【０１２０】
表  ８（非球面データ）
第5面
K= 0.00000E+00, A4=-1.58141E-04, A6= 4.21542E-06, A8=-2.08493E-07
A10= 4.17040E-09, A12= 0.00000E+00 
第6面
K= 0.00000E+00, A4=-5.91940E-06, A6= 5.64487E-06, A8=-2.54795E-07
A10= 5.28741E-09, A12= 0.00000E+00 
第12面
K=-2.18268E+00, A4= 2.13258E-04, A6=-3.84942E-05, A8= 8.68021E-06
A10=-8.72920E-07, A12= 3.09544E-08 
第17面
K= 0.00000E+00, A4=-1.75572E-03, A6= 1.99792E-04, A8=-1.83639E-05
A10= 4.82819E-07, A12= 0.00000E+00 
第18面
K= 0.00000E+00, A4=-2.42755E-04, A6= 2.77773E-04, A8=-1.70891E-05
A10= 3.64099E-07, A12= 0.00000E+00 
第21面
K= 0.00000E+00, A4=-2.22297E-03, A6= 9.72757E-05, A8=-6.21028E-06
A10= 9.78631E-08, A12= 0.00000E+00 
第22面
K= 0.00000E+00, A4=-2.45616E-03, A6= 1.07548E-04, A8=-6.32138E-06
A10= 1.01831E-07, A12= 0.00000E+00 
【０１２１】
表  ９（各種データ）
ズーム比     3.77007
広角      中間      望遠
焦点距離       6.5053   12.6297   24.5254
Ｆナンバー     3.64299   4.09877   6.11364
画角        33.7415   17.5731    9.1332
像高         3.8000    3.9000    3.9000
ＢＦ        2.63047   2.62999   2.66213
d6           0.5000    4.5804    7.7299 
d11          8.0669    3.9864    0.8369 
d14          5.9046    3.7946    1.8002 
d18          1.8935    4.0035    5.9979 
ズームレンズ群データ
群    始面      焦点距離
1       1      15.09547
2       7      -5.34004
3      12      15.94109
4      15      12.17035
5      19     -29.18821
【０１２２】
（数値実施例４）
数値実施例４のズームレンズ系は、図１０示した実施の形態４に対応する。数値実施例４のズームレンズ系の面データを表１０、非球面データを表１１に、各種データを表１２に示す。
【０１２３】
表  １０（面データ）
面番号         r           d           nd         vd
物面             ∞
1         36.03060     0.52000     1.92286    20.9 
2         13.50780     1.88780 
3               ∞     8.53020     1.84666    23.8
4               ∞     0.30000
5*        11.13080     3.16490     1.58332    59.1 
6*       -19.83960        可変
7        -16.10980     0.40000     1.90366    31.3 
8          5.95660     0.81920 
9*        98.48670     0.60000     1.52996    55.8 
10          6.57120     1.13280     1.94595    18.0 
11         22.77550        可変
12*        10.05750     1.20000     1.52996    55.8 
13*       -26.74320     0.70000 
14(絞り)           ∞        可変
15          8.89340     2.07220     1.49700    81.6 
16        -13.90680     0.40000 
17*        45.51420     0.66080     1.58387    30.9 
18         28.49560        可変
19         18.62580     0.43000     1.94595    18.0 
20          6.20860     1.92100 
21*         7.25740     1.18810     1.52996    55.8 
22         15.99740     6.05500 
23               ∞     0.80000     1.51680    64.2
24               ∞     (BF) 
像面             ∞
【０１２４】
表  １１（非球面データ）
第5面
K= 0.00000E+00, A4=-7.93723E-05, A6= 3.26806E-07, A8=-1.35973E-08
A10=-4.90795E-10, A12= 0.00000E+00 
第6面
K= 0.00000E+00, A4= 7.30213E-05, A6= 1.11962E-06, A8=-5.55275E-08
A10= 3.01187E-10, A12= 0.00000E+00 
第9面
K= 0.00000E+00, A4= 9.24023E-04, A6=-1.62194E-05, A8= 5.24200E-06
A10=-1.79773E-07, A12= 0.00000E+00 
第12面
K=-1.14409E+01, A4= 5.50602E-04, A6=-1.15725E-04, A8= 1.64740E-06
A10=-2.69324E-07, A12=-3.87818E-08 
第13面
K= 0.00000E+00, A4=-5.60893E-04, A6=-6.35144E-05, A8= 2.01885E-06
A10=-7.10427E-07, A12= 0.00000E+00 
第17面
K= 0.00000E+00, A4=-7.13093E-04, A6=-9.82399E-06, A8= 1.02657E-07
A10= 0.00000E+00, A12= 0.00000E+00 
第21面
K= 0.00000E+00, A4=-8.67693E-05, A6=-2.68690E-06, A8= 0.00000E+00
A10= 0.00000E+00, A12= 0.00000E+00 
【０１２５】
表  １２（各種データ）
ズーム比     3.76172
広角      中間      望遠
焦点距離       6.4034   12.4312   24.0876
Ｆナンバー     3.62972   3.92718   6.08716
画角        33.6068   17.3388    8.9872
像高         3.8000    3.9000    3.9000
ＢＦ        2.61023   2.63788   2.61979
d6           0.5000    5.0646    8.7534 
d11          8.7534    4.1888    0.5000 
d14          4.3344    2.7913    1.7438 
d18          0.8000    2.3431    3.3906 
ズームレンズ群データ
群    始面      焦点距離
1       1      16.37628
2       7      -5.59597
3      12      13.94882
4      15      12.06021
5      19     -18.82754
【０１２６】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１２７】
表  １３（面データ）
面番号         r           d           nd         vd
物面             ∞
1        154.14640     0.52000     1.92286    20.9 
2         18.07620     1.42450 
3               ∞     8.79090     1.84666    23.8
4               ∞     0.30000
5*        11.62860     3.22950     1.52996    55.8 
6*       -16.56670        可変
7        -18.04790     0.50000     1.83481    42.7 
8          9.63380     0.83760 
9        -79.91100     0.60000     1.52996    55.8 
10*         7.00190     0.28170 
11          9.82840     0.89950     1.94595    18.0 
12         23.91220        可変
13*         5.94630     1.20000     1.52996    55.8 
14*        17.74680     0.70000 
15(絞り)           ∞        可変
16          4.69520     2.67350     1.49700    81.6 
17        -49.74580     0.40000 
18*        20.68890     0.40000     1.58387    30.9 
19*        10.29320        可変
20      -5565.50510     0.43000     1.92286    20.9 
21          7.80570     2.18000 
22*         8.60050     1.29390     1.52996    55.8 
23         42.75010     4.65200 
24               ∞     0.80000     1.51680    64.2
25               ∞     (BF) 
像面             ∞
【０１２８】
表  １４（非球面データ）
第5面
K= 0.00000E+00, A4=-6.96141E-05, A6= 2.09017E-07, A8=-5.37812E-09
A10=-5.90342E-10, A12= 0.00000E+00 
第6面
K= 0.00000E+00, A4= 1.12338E-04, A6= 1.03355E-06, A8=-5.30511E-08
A10= 2.48002E-10, A12= 0.00000E+00 
第10面
K= 0.00000E+00, A4=-7.26320E-04, A6= 3.87560E-06, A8=-1.14077E-06
A10= 4.57706E-08, A12= 0.00000E+00 
第13面
K=-1.44129E-01, A4= 2.58044E-04, A6= 3.95790E-06, A8= 4.42311E-06
A10=-2.82711E-07, A12= 2.75522E-08 
第14面
K= 0.00000E+00, A4= 6.65022E-04, A6= 3.45900E-05, A8=-1.46423E-06
A10= 4.79384E-07, A12= 0.00000E+00 
第18面
K= 0.00000E+00, A4=-6.40259E-04, A6= 5.15963E-05, A8=-7.67678E-06
A10= 0.00000E+00, A12= 0.00000E+00 
第19面
K= 0.00000E+00, A4= 2.35809E-03, A6= 1.70471E-04, A8= 2.48873E-06
A10= 1.01885E-07, A12= 0.00000E+00 
第22面
K= 0.00000E+00, A4=-5.53647E-05, A6= 6.84823E-06, A8= 0.00000E+00
A10= 0.00000E+00, A12= 0.00000E+00 
【０１２９】
表  １５（各種データ）
ズーム比     3.75996
広角      中間      望遠
焦点距離       6.3999   12.4101   24.0635
Ｆナンバー     3.64069   3.99379   6.10093
画角        34.3798   17.4205    9.0025
像高         3.8000    3.9000    3.9000
ＢＦ        2.61010   2.62010   2.61014
d6           0.5000    5.4527    9.3334 
d12          9.3334    4.3806    0.5000 
d15          4.4329    2.9745    1.6000 
d19          0.8005    2.2590    3.6335 
ズームレンズ群データ
群    始面      焦点距離
1       1      18.46803
2       7      -6.16401
3      13      16.30005
4      16      10.62913
5      20     -17.57533
【０１３０】
（数値実施例６）
数値実施例６のズームレンズ系は、図１６に示した実施の形態６に対応する。数値実施例６のズームレンズ系の面データを表１６に、非球面データを表１７に、各種データを表１８に示す。
【０１３１】
表  １６（面データ）
面番号         r           d           nd         vd
物面             ∞
1         27.06410     0.30000     1.92286    20.9 
2         10.81980     1.95100 
3               ∞     8.59900     1.84666    23.8
4               ∞     0.30000
5*        10.91490     2.63550     1.58332    59.1 
6*       -17.88190        可変
7        -26.12040     0.30000     1.91082    35.2 
8          8.65740     0.95830 
9        -18.18840     0.30000     1.72000    50.3 
10          8.89240     1.02170     1.94595    18.0 
11         54.24380        可変
12*         8.02280     1.20000     1.54410    56.1 
13         49.79170     0.70000 
14(絞り)           ∞        可変
15          5.80210     2.97260     1.49700    81.6 
16        -19.79690     0.62550 
17*        15.65670     0.50000     1.63400    23.9 
18*         8.75030        可変
19        -18.22160     0.40000     1.92286    20.9 
20         18.79960     2.42550 
21*         8.77160     1.39610     1.54410    56.1 
22*        39.01940     3.85010 
23               ∞     0.90000     1.51680    64.2
24               ∞     (BF) 
像面             ∞
【０１３２】
表  １７（非球面データ）
第5面
K= 0.00000E+00, A4=-1.65904E-04, A6= 4.25212E-06, A8=-1.67809E-07
A10= 2.80373E-09, A12= 0.00000E+00 
第6面
K= 0.00000E+00, A4=-2.43425E-05, A6= 6.01483E-06, A8=-2.27454E-07
A10= 3.94780E-09, A12= 0.00000E+00 
第12面
K=-1.82624E+00, A4= 2.60376E-04, A6=-4.56076E-05, A8= 9.52057E-06
A10=-9.05434E-07, A12= 3.09544E-08 
第17面
K= 0.00000E+00, A4=-1.62015E-03, A6= 1.54323E-04, A8=-1.95751E-05
A10= 5.52127E-07, A12= 0.00000E+00 
第18面
K= 0.00000E+00, A4=-2.03161E-04, A6= 2.38466E-04, A8=-1.88715E-05
A10= 3.68843E-07, A12= 0.00000E+00 
第21面
K= 0.00000E+00, A4=-2.22757E-03, A6= 1.29905E-04, A8=-6.96293E-06
A10= 9.10363E-08, A12= 0.00000E+00 
第22面
K= 0.00000E+00, A4=-2.50313E-03, A6= 1.46871E-04, A8=-8.05300E-06
A10= 1.36781E-07, A12= 0.00000E+00 
【０１３３】
表  １８（各種データ）
ズーム比     3.77053
広角      中間      望遠
焦点距離       6.5036   12.6267   24.5219
Ｆナンバー     3.64295   4.09733   6.11128
画角        33.9579   17.6773    9.1846
像高         3.8000    3.9000    3.9000
ＢＦ        2.60720   2.64830   2.65249
d6           0.5000    4.7555    8.0966 
d11          8.4203    4.1648    0.8236 
d14          5.6166    3.6687    1.8461 
d18          2.1535    4.1014    5.9240 
ズームレンズ群データ
群    始面      焦点距離
1       1      15.65417
2       7      -5.62199
3      12      17.40110
4      15      11.74487
5      19     -24.84355
【０１３４】
以下の表１９に、各数値実施例のズームレンズ系における各条件の対応値を示す。
【０１３５】
表  １９（条件の対応値）
【表１】
2011085653.tif 000004
【産業上の利用可能性】
【０１３６】
本発明に係るズームレンズ系は、デジタルカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【０１３７】
Ｇ１    第１レンズ群
Ｇ２    第２レンズ群
Ｇ３    第３レンズ群
Ｇ４    第４レンズ群
Ｇ５    第５レンズ群
Ｌ１    第１レンズ素子
Ｌ２    第２レンズ素子（プリズム）
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ａ      開口絞り
Ｐ      平行平板
Ｓ      像面
１      ズームレンズ系
２      撮像素子
３      液晶モニタ
４      筐体
【図１】
2011085653.tif 000005
【図２】
2011085653.tif 000006
【図３】
2011085653.tif 000007
【図４】
2011085653.tif 000008
【図５】
2011085653.tif 000009
【図６】
2011085653.tif 000010
【図７】
2011085653.tif 000011
【図８】
2011085653.tif 000012
【図９】
2011085653.tif 000013
【図１０】
2011085653.tif 000014
【図１１】
2011085653.tif 000015
【図１２】
2011085653.tif 000016
【図１３】
2011085653.tif 000017
【図１４】
2011085653.tif 000018
【図１５】
2011085653.tif 000019
【図１６】
2011085653.tif 000020
【図１７】
2011085653.tif 000021
【図１８】
2011085653.tif 000022
【図１９】
2011085653.tif 000023